Podtech/llm-jp-corpus-v4-ja_patent huggingface dataset:
(57)【要約】      （修正有）【課題】パソコン使用人口の老齢化が進み手先の冷える事を防止し、健康の害を防ぐ事ができるパソコンマウスの下敷きマットを提供する。【解決手段】パソコンマウスの下敷きマットの中に電気抵抗器を入れ暖房する。約２０センチ角位の発砲ゴムなどの材料の上に炭素抵抗塗料を塗布して通電しジュール熱により、摂氏２５度前後の温度をだす。【選択図】図１
0003118306.tif 000002
【実用新案登録請求の範囲】
【請求項１】
電気抵抗による暖房を特徴とする、パソコンマウスの下敷きマット
【考案の詳細な説明】
【技術分野】
【０００１】本考案は、気温が低いときパソコンマウウスの操作の際下敷きパットを暖房し手のひらが冷えないようにする装置である。
【背景技術】
【０００２】従来マットは冷気の元では手の平が冷えていた。【０００３】  しかし、手先や指は血流が少なく熱を奪われやすい。【０００４】〉
パソコン操作の人はその画面に神経が集約されがちで手の温度の冷却に気付かない。【０００５】  其の為片手が長時間の冷却にさらされる為色々な病気の原因になる事もある。
【考案が解決しようとする課題】
【０００６】パソコンマウスの下敷きマットの表面を少し電気抵抗によって暖房して此れを防ぐ。
【課題を解決する為の手段】
【０００７】約２０センチ角くらいの発泡ゴムなどの材料の上に抵抗材料を置き上から薄い布地などを接着する。
【０００８】之に電流を流しジュール熱で温度を上げる之をサーモスタットで熱を調整する。
【考案を実施するための最良の形態】
【０００９】
【００１０】  図１は、本考案装置の１実施例の概念図である。
【考案の効果】
【００１１】気温の低い時パソコンの使用者が快適である。
【図面の簡単な説明】
【００１２】
【図１】  請求項１のマットの分解図
【符号の説明】
【００１３】        Ａ    抵抗体を接着する基盤となる発砲ゴムプレート
Ｂ    抵抗体
Ｃ    サーモスタット
Ｄ    リード線
Ｅ    表面をパソコンマウスが動くＡ基盤に接着する生地
【図１】
0003118306.tif 000003
【手続補正書】
【提出日】平成17年10月5日(2005.10.5)
【手続補正１】
【補正対象書類名】実用新案登録請求の範囲
【補正対象項目名】全文
【補正方法】変更
【補正の内容】
【実用新案登録請求の範囲】
【請求項１】
パソコンマウスの下敷きマットの中に電気抵抗器を入れ暖房するパソコンマウスの下敷きマット。
【手続補正２】
【補正対象書類名】明細書
【補正対象項目名】全文
【補正方法】変更
【補正の内容】
【考案の詳細な説明】
【考案に属する技術分野】
【０００１】本考案はパソコンマウスの暖房に関するものであり、手先の暖房により寒気にパソコン使用中の手のひらの快適さを加えるものである。
【背景技術】
【０００２】パソコンマウスは従来冬季又は寒冷地方には暖房による温度も有りますが、概してプラスチックの熱伝導性により手先の熱を奪う。【０００３】  しかし手先や指は血流が少なく熱を奪われやすい。【０００４】  パソコン操作の人はパソコンの性格上デスプレイに神経が集約されがちで手先の温度の冷却に気付かない。【０００５】  其の為片手が長時間の冷却にさらされる為色々な病気の原因になる事もある。
【考案が解決しょうとする課題】
【０００６】  パソコンマウスの下敷きマットを少し電気暖房してこれを防ぐ。
【課題を解決する為の手段】
【０００７】  約２０センチ角位の発泡ゴムなどの材料の上に炭素抵抗塗料を塗布して通電しジュール熱により、摂氏２５度前後の温度をだす。
【考案を実施するための最良の形態】
【０００８】バイメタルサーモスタットなどで温度調整をする。
【考案実施の形態】
【０００９】  図１は、本考案装置の実施例である。
【考案の効果】
【００１０】  気温の低い時マソコンマウスの使用者の手のひらが快適である。
【図面の簡単な説明】
【００１１】
【図１】  パソコンマウスの下敷きの構成図面である。
【符号の説明】
【００１２】Ａ          抵抗体を塗布する基盤
Ｂ          炭素抵抗体
Ｃ          サーモスタット
Ｄ          リード線
Ｅ          表面をパソコンマウスが摺動するＡ基盤に接着する生地
(57)【要約】【課題】  地震に対する免震装置等を従来の方法の溶接を使用しないで、正確に迅速に取付ける為に改良開発されたベースプレートである。【解決手段】          免震装置を建物に取付けるためには、上部ベースプレートおよび下部ベースプレートが必要であり免震装置を挟む形で使用します。下部は建物の基礎部分と、上部は建物の底辺部にしっかりと固定されます。この時にベースプレートを構成する金属部分を熱溶接で固定する箇所が有りますがこの方法だと熱による金属の歪みが生じ、その補正の必要がおきます。また溶融亜鉛メッキの部分に熱のための有害ガスが発生する事もあります。本考案は熱溶接に代えて右ネジ、左ネジを組合わせてネジの特性を利用することにしました。【選択図】    図３
0003118308.tif 000002
【実用新案登録請求の範囲】
【請求項１】
免震装置のフランジプレートの孔ピッチに合せた左めネジを切削加工したベースプレート。
【請求項２】
袋ナット頭部の内径部分に取付け用ボルトと同じボルト径の右おネジを切削加工した袋ナット。
【請求項３】
袋ナット頭部の外径部に、ベースプレートと同じ径の左めネジを切削加工した物。
【請求項４】
取付けボルトの右おネジと袋ナットの左おネジとを組み合わせる事でその締付け抵抗を利用することができ熱溶接に代えることが出来る。
【請求項５】
ベースプレートに切削してある左めネジに、袋ナットの頭部に切削してある左ネジを捻じ込む事で、その締付け抵抗を利用することになり熱溶接の方法を避けられる。
【請求項６】
ベースプレートを構成する部材を分けてパーツ化する。
【考案の詳細な説明】
【考案の詳細な説明】
【技術分野】
【０００１】本考案は、ビルや建物が地震から受ける揺れや振動を減じる為の免震装置を、設計図通りに容易に製作し正確に迅速に取付ける為の、新しい発想にによる改良型のベースプレートに関するものである。
【背景技術】
【０００２】この分野は近年注目され、期待度の高いものがあるが、歴史が浅いために作業が試行錯誤の中で行はれる事も多い。とくに外部で組立て製作がされて重量物化された状態での搬入や移動などは作業の弊害に繋がる場合もあり、また運送のコスト高にも影響する。
他の産業と比較してみても、足元の環境の中で改良すべき点が多々あると思はれる。
【考案が解決しようとする課題】
【０００３】免震装置取付けのためには上部ベースプレートと、下部ベースプレートとの２枚の鋼板が必要である。この鋼板は免震装置を上下で挟む形で使用するもので、下部ベースプレートは建物の基礎部分と、上部ベースプレートは建物底部に接することになる。
この先本考案が解決しようとする課題は、溶接無しでのベースプレートの組立てをすること。溶接熱による金属の歪みを出さぬ事。溶接する際の熱によるメッキ部分からの有害なガスの発生を無くすこと。全体をユニットの思考範疇に置くことで作業の明確化を図る。
【課題を解決するための手段】
【０００４】先ず溶接無しで固定化する方法として右ネジ、左ネジの特性を活用して組立てをする。例を挙げるならば、扇風機の羽根は軸回転の反対方向にネジが切ってあるので決して外れない。この事例を応用して熱溶接を回避する。
部材を出来るだけ細分化し、パーツの状態で現場に持込みそこで組上げるようにする。本考案は単に熱溶接を回避することでだけでも、金属の歪みと有害なガスの発生を回避出きる事になる。
【考案を実施するための最良の形態】
【０００５】考案の実施の形態について図面を参照して説明する。
図１は、免震装置と本考案による改良型の上部ベースプレート及び、下部ベースプレートを取付けた状態の側面図である。
Ａは、免震装置の本体である。
Ｂは、フランジプレートで、本体に最初からセットされているプレートである。
Ｃは、上部ベースプレート及び下部ベースプレートである。
Ｄは、袋ナットである。これは取付けボルト及び各ベースプレートに対応し、免震装置の固定に活かされている。
Ｅは、取付けボルトである。
図２は、正面図である。上部ベースプレートの表面で取付けボルトの位置Ａと袋ナットのＢ位置を示している。
図３は、下部ベースプレートに袋ナットが捻じ込まれている状態を示しているＡは袋ナットである。Ｂはベースプレートである。Ｃは取付けボルト孔である。Ｄは従来の技術では溶接していた箇所を例示したものであるが、本考案では改良されて不用となった。Ｅはベースプレートに切削された左めネジである。Ｆは袋ナット頸部に切削された右おネジである。
図４は、袋ナットの拡大図である。Ａは袋ナットの本体で頸部Ｂに右ネジが切ってある、此の部分はベースプレートに切ってある左ネジに対応するＣは取付けボルトが捻じ込まれる孔である。Ｄはそのためのネジが切ってある状態をしめしている。
【考案の効果】
【０００６】本考案の従来の技術との比較における効果点は、ベースプレートを中心とした部材をユニット化し、現場で組立て作業が出来るようにして現場作業の平易化を図った事、溶接箇所を無くした事で熱による周辺の金属部に歪みの発生を無くした事、亜鉛メッキがなされている箇所の溶接での有害ガスの発生を無くした事、今までのメッキはある段階まで製作がなされた時点でメッキをする方法が採られていたが、ユニット化した時点では必要なパーツのみメッキすれば良くなる。さらに作業の単純化で工事期間の短縮が可能になった事等である。
これ等の事象はそれぞれの時点でコストの削減が実行されることになる。
【図面の簡単な説明】
【０００７】
【図１】    側面図
【図２】    平面図
【図３】    断面図
【図４】    拡大図
【図１】
0003118308.tif 000003
【図２】
0003118308.tif 000004
【図３】
0003118308.tif 000005
【図４】
0003118308.tif 000006
【手続補正書】
【提出日】平成17年10月20日(2005.10.20)
【手続補正１】
【補正対象書類名】実用新案登録請求の範囲
【補正対象項目名】全文
【補正方法】変更
【補正の内容】
【実用新案登録請求の範囲】
【請求項１】
免震装置を建物などの基礎部に取付け固定する為のベースプレートであって、その構成は鋼板、袋ナット、取付けボルトにより成る、袋ナットの内径には取付けボルトを捻じ込むべく右めネジを切削しておき、ここに右おネジが切削してある取付けボルトを捻じ込むとネジ相互の作用で堅く締結する、この様な特徴を有する袋ナットと取付けボルトをセットで用いたベースプレート。
【請求項２】
前記袋ナットの外頚部には左おネジが切削してあり、ベースプレートの該当部に左めネジが切削して有るので双方を所定の該当部で捻じ込むことで取付けボルトを受入れる態勢が整えられていることを特徴とする、請求項１に記載のベースプレート。
(57)【要約】      （修正有）【課題】ネクタイを外した胸元を美しくすっきり見せ周囲に好印象を与えるネクタイピンを兼ねたアクセサリーを提供する。  【解決手段】形状はネクタイピンとして使うような鰐口、もしくはピン形状の取付具２個をチェーンまたは紐等でつないだものである。形状は一体型に限らず、鰐口部分、チェーン部分などが脱着可能な物も含む。チェーン・紐などの中間にペンダントトップを付けて、アクセサリーとしての効用を増す形態も含む。使用の形態は、スーツ・シャツ等の両襟に鰐口等の取付具で着装することを基本とするが、ネクタイピンとして、直接ネクタイに着装する形態も含む。【選択図】図１
0003118310.tif 000002
【実用新案登録請求の範囲】
【請求項１】
鰐口等の取り付け具を２個持つネクタイピン兼用のアクセサリー。
形状は、ネクタイピンとして使うような鰐口、もしくはピン形式の取り付け具２個を、チェーンまたは紐等でつないだものである。
形状は一体型に限らず、鰐口部分、チェーン部分等が着脱可能な物も含む。
チェーン・紐等の中間にペンダントトップをつけて、アクセサリーとしての効用を増す形態も含む。
使用の形態は、スーツ・シャツ等の両襟に鰐口等の取り付け具で着装することを基本とするが、ネクタイピンとして、直接ネクタイに着装する形態も含む。
【考案の詳細な説明】
【技術分野】
【０００１】  本考案は、ネクタイ等の装身具とともに、新しい形態のアクセサリーとして使用するものである。
【技術背景】
【０００２】  従来は鰐口１個、又はピン式の止め金具１個というのが、ネクタイピンとしての形態であった。
【考案の開示】
【考案が解決しようとする課題】
【０００３】  鰐口等の取り付け具２個による新しい形態のアクセサリー
【課題を解決するための手段】
【０００４】  本考案は、鰐口等の取り付け具を２個持つネクタイピン兼用のアクセサリーである。
形状は、ネクタイピンとして使うような鰐口、もしくはピン形式の取り付け具２個を、チェーンまたは紐等でつないだものである。
形状は一体型に限らず、鰐口部分、チェーン部分等が着脱可能な物も含む。
チェーン・紐等の中間にペンダントトップをつけて、アクセサリーとしての効用を増す形態も含む。
使用の形態は、スーツ・シャツ等の両襟に鰐口等の取り付け具で着装することを基本とするが、ネクタイピンとして、直接ネクタイに着装する形態も含む。
【考案の効果】
【０００５】  地球温暖化を防ぐために、夏の冷房温度を高く設定しており、現在はクールビズが叫ばれている。そのためにネクタイを外した服装を呼びかけているが、単にネクタイを外しただけではスマートさに欠け、礼を失するおそれがある。これを防ぎ、周囲に好印象を与えるために考案をしたものである。
また、ネクタイ着装時にも、あるいはスーツにも着装できることから、その使用範囲は広い。
【考案を実施するための最良の形態】
【０００６】  鰐口等の取り付け具２個をチェーンでつないだ物を、両襟に着装する。【０００７】  鰐口等の取り付け具２個を紐でつないだ物を、両襟に着装する。【０００８】  つないだチェーン等の中間にペンダントトップをつけて、アクセサリーとしての効用を高める。【０００９】  ネクタイの左右に２個の鰐口を取り付け、新しい形のネクタイピンとする。
【産業上の利用可能性】
【図面の簡単な説明】
【図１】  シャツの襟に着装した図である。
【図２】  ネクタイに着装した図である。
【符号の説明】
１  鰐口
２  チェーン
３  ペンダントトップ
４  ネクタイ
【図１】
0003118310.tif 000003
【図２】
0003118310.tif 000004
【手続補正書】
【提出日】平成17年8月27日(2005.8.27)
【手続補正１】
【補正対象書類名】実用新案登録請求の範囲
【補正対象項目名】全文
【補正方法】変更
【補正の内容】
【実用新案登録請求の範囲】
【請求項１】
スーツ、シャツ等の両襟をつなぐアクセサリーにおいて
（１）衣類への取り付け具が鰐口又はピン
（２）取り付け具同士の連結は、チェーン又は紐等
（３）チェーン又は紐につけるペンダントトップ
以上からなる鰐口等の取り付け具を２個持つ、ネクタイピン兼用のアクセサリー。
(57)【要約】【課題】高齢者の躓きによる転倒で骨折事故の防止、錘を着けた錘脚半で脚の筋力を強める為１日２時間から３時間家庭内で着用する習慣をつけることにより転倒を防止する器具を考案した、又膝痛を和らげる効果。【解決手段】歳を重ねると脚の筋力が衰え家庭内で僅かな段差でも躓き手や足を骨折したりする。錘付き脚半を１日２時間程装着する事により足を上げる習慣が身に付き躓きが防止でき。又６５歳以上の女性は４名に１人とも言われるほど膝痛で悩む方が多いとも言われる。加齢による大腿筋肉、膝半月板の磨耗が原因で筋力の増強で可也の改善が見られる、その場凌ぎの市販薬に頼らず、錘脚半を着け椅子に座り水平に片足ずつ２０秒を交互に動作し、次は腿に片手を添えユックリ伸縮を十回ほど交互に繰り返すことにより正座可能までに改善が出来る。【選択図】図１
0003118305.tif 000002
【実用新案登録請求の範囲】
【請求項１】
錘脚半に着ける重量識別錘、錘の重さを入替られるポケット
【請求項２】
着脱容易の為のアールを付け縫い込んだプラ板
【請求項３】
足の甲、踝をクッションで保護する１０ｍｍのシリコン管又は１０ｍｍのゴム管を包み込む
【請求項４】
装着容易にする為のマジックファスナー
【考案の詳細な説明】
【技術分野】
【０００１】足首に錘脚半で錘を２時間程つけることにより足を上げる習慣がつき躓きが防止できる。膝痛は椅子に掛け錘を足首に付け水平に上げる事で改善
【背景技術】
【０００２】足首に錘を付けることで臑〔すね〕大腿部の普段使わない筋肉を使う様になり筋力が強化される
【考案の開示】
【考案が解決しようとする課題】
【０００３】躓きによる家庭内転倒事故の防止・膝痛の改善
【課題を解決するための手段】
【０００４】装着した本人が強い意志で三月ぐらい続け習慣化すること
【考案の効果】
【０００５】装着し始め錘脚半を外すと足の軽さを感じ躓きそうな足が軽くなる
【考案を実施するための最良の形態】
【０００６】当初は１日２時間から３時間家庭内で装着する習慣をつける
【実施例】
【０００７】最近加齢による躓きを繰り返すので錘脚半を着ける事により足を上げて歩く習慣がつき躓きがなくなった。本年１月から長年膝痛に悩み整形外科に通いレントゲンやＭＲＤ断層検査で診断したが何れも異常なしとの診断、シップ薬を処方するだけで改善されず、夜半に脚を曲げると激痛が走り伸ばすことも出来ず３０分位は身動き出来ない苦しさ、医院の壁には１キロの書籍を仰向けの姿勢で足首に乗せ膝を曲げずに上下して大腿部の筋肉を増強するとよいとのポスター、ある時は１ｋｇの塩袋を足首に提げ実行したが仰向け姿勢で長く続く訳がなく医師の診察も芳しくないので、錘を着けた錘脚半を考案し椅子に座り直角に足を上げ片足ずつ２０秒間大腿筋肉を鍛え次は腿に片手を添えユックリ脚を伸ばしチジメル動作を繰り返す動作を５分程繰り返し３カ月ほどで可也の改善効果が見られ今では殆ど痛みはなくなった、又知人３名ほどの方にも図解の説明書を渡し続けたところ今では痛みが改善され正座まで出来るようになり感謝されている。
【産業上の利用可能性】
【図面の簡単な説明】
【錘脚半】
【図１】
錘脚半を示した前面図である。
【図２】
錘脚半を示した側面図である
【符号の説明】
１  錘を入れるポケットであり、男女個人差に応じ３００ｇ３００ｇ２５０ｇ３個を組み合わせ鋳鉄製錘の重さを入れ替える事が出来る。
２  芯：表地と裏地の間にプラスチック１，２ｍｍにアールを付け足首に着脱容易の為に縫い込んである。
３  装着中にずれて踝〔くるぶし〕、足の甲を保護する為に１０ｍｍのシリコン管縫がい込んである。
４  表地は帆布等厚手の布、裏地は肌触り良きソフトの布
５  高齢者が簡単に扱へ又足首の太さに関係なく調節の必要がなく留める事が出来るマジックファスナー巾４０ｍｍを使用した。
【図１】
0003118305.tif 000003
【図２】
0003118305.tif 000004
【手続補正書】
【提出日】平成17年10月6日(2005.10.6)
【手続補正１】
【補正対象書類名】実用新案登録請求の範囲
【補正対象項目名】全文
【補正方法】変更
【補正の内容】
【実用新案登録請求の範囲】
【請求項１】
錘脚半に付ける重量識別錘、錘を入れ替えられるポケットを付けた錘脚半
(57)【要約】      （修正有）【課題】褥創防止の為の介護人，医療従事者の仕事を軽減する。【解決手段】寝たきり患者さん用，加圧式マットを褥創防止と褥創治療を目的として単一な加圧でなく１０〜３０ブロックの集合体のマットとして，各ブロックは独立した加圧挿気（挿液）管からの加圧をプログラムされた，コントロ−ラ−から受ける事により．常に変化のある体位加重を受けられる。【選択図】図１
0003118342.tif 000002
【実用新案登録請求の範囲】
【請求項１】
寝たきり患者用のマット（空気，窒素等の気体または液体）の構造について，その気室を細分化を独立化しかつ個々注入経路を持たせる所を特徴とするプログラムされた電子制御による加圧ポンプを備えた褥創防止，自動体動加圧マット．
【考案の詳細な説明】
【技術分野】
【０００１】本考案は，寝たきり老人，寝たきり患者の褥創を防止する寝具マットに関するものである
【注】
褥創とは自分では体動が出来ない為に自重により同一部位に加重で静脈圧の低下，表皮の血流不全の結果皮膚の潰瘍，皮下脂肪組織の壊死を起こす疾患である）
【背景技術】
【０００２】寝たきり患者用のマット（空気，窒素等の気体または液体）の構造は注入経路をが単一経路で個々の気室に独立した挿入管を持たない為エア−は液体を注入しても最も加重がかかる部位が常に一定のため医療現場では看護師もしくは付き添い人が３時間おきに体の位置を交換していた．在宅治療は患者には褥創は日常化している
【考案の開示】
【考案が解決しようとす課題】
【０００３】  定時的に看護師もしくは付き添い人が３時間おきに体位変換をする負担は非常に大きく，事に体重の重い寝たきり患者については，困難をきわめる，いかにして患部（褥創）への加重を経時的に減らし．介護者の負担を低減するかを．，課題とする
【考案が解決するための手段】
【０００４】定時的に看護師が体位交換しなくても，電子的にプログラムされた区分されたブロックに．加圧ポンプで圧力を加える事によ体表に加わる圧力を経時的に変化させる事が可能になり，結果として患者本人．介護者の負担も低減するものである
【考案の効果】
【０００５】上述の様に，マット．の気室（液体注入でも同様）を細分化を独立化しかつ個々注入経路を持たせ注入圧をそのブロックごとに変化を付ける所を特徴とすることと．あらかじめ各ブロックの加圧，減圧をプログラムされた電子制御を備えた褥創防止，自動体動加圧マットは介護者の負担を軽減できる
【実施例】
【０００６】患部にかかる圧力を最低限に設定し健康皮膚部にランダムに加圧する事で患部の治癒は早まりなおかつ医療従事者．介護人の時間的制限は著しく軽減される
【図面の簡単な説明】
【０００７】
【図１】はマット本体，加圧チュ−ブ及び加圧コンプレッサ−とプログラムコントロラ−を接続した図面です
【符号の説明】
【０００８】１    マット本体
２    加圧チュ−ブ
３    コンプレサ−
４    プログラムコントロ−ラ−
【図１】
0003118342.tif 000003
(57)【要約】      （修正有）【課題】意匠的に優れ自然な景観をつくり、子供が遊べ、自然を身近に感じることができる生きた木製造形物を提供する。【解決手段】丸太材、流木、樹木をバランスよく組み合わせ連結し、一つの生きた木製造形物を造る。【選択図】図１
0003118348.tif 000002
【実用新案登録請求の範囲】
【請求項１】
丸太材と、流木と、樹木を組み合わせたことを特徴とする生きた木製造形物。
【考案の詳細な説明】
【技術分野】本考案は、意匠性に優れ、鑑賞したり、遊具として使用できる木製造形物の、木材や樹木の組み合わせ方に関するものである。
【背景技術】  従来の木製遊具は、単一の木材できた丸太材・角材を使用して造られているものがほとんどである。このような木製遊具は、遊ぶことはできるが、ほとんど加工された木材で造られているため、木本来の自然な曲線や凹凸などの感触を感じにくく、そのもの単体では、季節を感じたり、自然な景観造り出すことは困難だと考えられる。
【考案の開示】
【考案が解決しようとする課題】  本考案は従来の木製遊具の、自然な曲線や凹凸などの感触を感じにくい事や、そのもの単体では、季節を感じたり、自然な景観造り出すことが困難と考えられる事を補い、遊具としての機能も持ちながら、自然とふれあえ、季節を感じることができ、自然で意匠的に優れた景観を造り出す木製造形物を提供することにある。
【課題を解決するための手段】  本考案は従来の問題を解決するため、丸太材と、流木と、樹木を組み合わせたことを特徴とする生きた木製造形物を提供する。
【考案の効果】  以上の説明からもわかるように、本考案は一つの木製構造物で、意匠的に優れた自然な景観を造る鑑賞物であり、全身を存分に使えるジャングルジム等のような遊びができる遊具であり、特に子供の体力増進に役立つと考えられる。
また、生きている樹木に触れ遊んだりすることで、木々や緑に関心が高まり、自然の大切さや素晴らしさをかんじることができる。
丸太材にスギ等の間伐材を使用することにより、森林の整備ひいては機能回復につながり、問題となっている地球温暖化の防止にも役立つと考えられる。
そして、今まで河川でゴミとして扱われてきた流木を使用することで、資源のリサイクルとなり、河川への関心を高め、河川の美化に役立つと考えられる。
本考案は、子供たちの健全な成長と共に、自然と触れ合うことにより、自然の素晴らしさが身近に体感でき、自然との共生の促進に寄与するところは大きいと考えられる。
【考案を実施するための最良の形態】  以下、本考案をその好ましい実施形態に基づいて説明する。図１は、本考案の一実施形態全体の透視図であり、本考案の基本構成を表す為の図である。図２は図１に示す本実施形態全体の平面図である。図１、図２の符号のａ，ｂ，ｃはその部材のわかりやすい物を抜粋して引き出した物である。
本実施形態は、図１で示すようにａの丸太材、ｂの流木、ｃの樹木から造形される。ａの丸太材、ｂの流木を子供が登ったりぶら下がったりできる間隔でバランスよく組み合わせ連結する、連結する方法としては、各種公知の方法を用いることができるが、本実施形態については、ステンレスボルト・ナットにより連結する。また、本実施形態で支柱の役割を果たしているａの丸太材は土中に打ち込んである。
そこにｃで示す樹木をａの丸太材またはｂの流木に接するように植栽し、縄等の結束により連結する。
このように組み合わされ造形された中で、ａの丸太材は、主にこの木製構造物の骨格を形成し、ｃの樹木の転倒防止の支柱となり、ｂの流木を取り付ける土台となる、ｂの流木は意匠性を向上させ、また登ったり、つかまったりして遊ぶ遊具の一部となる、ｃの樹木は、意匠性を向上させ、登って遊んだり、木陰を造ったり、自然を感じさせてくれる役割を果たす。この３要素をバランスよく組み合わせ連結することにより、意匠的にすぐれ、子供が楽しく遊ぶ中で自然に触れることができ、四季などの自然を感じることができる、一つの生きた木製造形物となるのである。また、本考案は以上で述べた実施例に限定されるものではない。
【図面の簡単な説明】
【図１】  本考案の一実施例を示す透視図
【図２】  本考案の一実施例を示す平面図
【符号の説明】
ａ  丸太材
ｂ  流木
ｃ  樹木
【図１】
0003118348.tif 000003
【図２】
0003118348.tif 000004
(57)【要約】      （修正有）【課題】家庭内のどのような居住空間に置いても違和感のない形状の遺骨収納容器を提供する。  【解決手段】陶磁器や樹脂製のペットの置物１を木製台座３と接着し、木製台座に遺骨を収納する内部空洞部分を設け、ペットの遺骨収納容器とする。台座の前面には金属の銘板２を付け、ペットの紹介が記載できる。木製台座の背面部分には、遺骨の出し入れのために、マグネット式又はネジで開閉ができる扉部分を設ける。この実施形態により、デザイン性に優れた形状となり、遺骨が収納されている置物又は容器であることが顕著には目立たない。そして、家庭内のどのような場所に保管・安置しても、違和感を感ずることなく、亡くなったペットの遺骨を身近に置いて供養できる。【選択図】図１
0003118350.tif 000002
【実用新案登録請求の範囲】
【請求項１】
ペットの遺骨の自宅保管を容易に行なうために、陶磁器製や樹脂製のペットの置物人形と木製台座を接着し、木製台座の内部に遺骨を収納するスペースを設けたことを特徴とする遺骨収納容器。
【請求項２】
前記木製台座の遺骨収納容器の前面正面に金属板を貼り付けて、ペットの名前や生年月日・命日を記載できることを特徴とする請求項１記載の遺骨収納容器。
【考案の詳細な説明】
【技術分野】
【０００１】  本考案は、家庭内のどのような居住空間にも、ペットの遺骨を違和感なく保管・安置できる遺骨収納容器に関する。
【背景技術】
【０００２】  家庭内にペットの遺骨を保管安置する場合、従来からある伝統的な円筒型の陶器製の蓋付き骨壷を使うことが多い。
【考案の開示】
【考案が解決しようとする課題】
【０００３】  しかしながら、従来の骨壷は、形状が単一で体裁の良いものが無く、家庭内ではなるべく人目に触れないような場所に安置することが多い。そこで、本考案は、家庭内のどのような居住空間に置いても違和感のない形状の遺骨収納容器を提供し、愛するペットを失った飼い主が、遺骨を身近に容易に保管・安置することを課題とする。
【課題を解決するための手段】
【０００４】  以上の課題を解決するために、第一考案は、装飾性の高い陶磁器や樹脂を用いて高級感あふれるペットの置物を製作し、置物が接合される木製台座の内部にペットの遺骨を収容できるようにした。そのため、家庭内の居住空間に置いても違和感がなく、遺骨収納容器であると顕著に目立つことなくペットの遺骨を保管・安置することを特徴とする遺骨収納容器である。【０００５】  また、第二考案は、前記木製台座の収納容器の前面正面に金属板を貼り付けて、ペットの名前、生まれた年月日、命日、写真、好きな言葉を記載できることを特徴とする遺骨収納容器である。
【考案の効果】
【０００６】  第一考案又は第二考案によれば、デザイン性に優れた形状の陶磁器や樹脂製のペットの置物と接合する木製台座の内部に、遺骨が収納され、金属の銘板にはペットの紹介が記載される。家庭内の居住空間に置いても遺骨収納容器であると顕著に目立たず、装飾的で機能的な遺骨収納容器としてペットの遺骨の保管・安置が身近で容易なものとなる。
【考案を実施するための最良の形態】
【０００７】  本考案の実施形態を、図１と図２に示す。
陶磁器や樹脂製のペットの置物１が、ネジと接着剤を用いて木製台座３と接合され、木製台座３には、ペットの遺骨や遺品を収納する内部空洞部分４を設けて、デザイン性に優れた形状のペットの遺骨収納容器とする。台座の前面には金属の銘板２を取り付け、ペットの紹介が記載できる。木製台座３の背面部分には、遺骨の出し入れのために、マグネット式又はネジで開閉ができる扉部分５を設ける。
【実施例】
【０００８】  この実施形態によれば、装飾的で機能的なペットの遺骨収納容器となり、デザイン性に優れた形状であることから、遺骨が収納されている容器であることが顕著には目立たない。そして、家庭内の居間、飾り棚、本棚、等の、どのような場所に置いても違和感を感ずることなく、亡くなったペットの遺骨を身近に置いて供養できる。
【図面の簡単な説明】
【０００９】
【図１】  本考案の一実施形態を示す全体の、前面から見た斜視図である。
【図２】  本考案の一実施形態を示す木製台座部分の、背面から見た斜視図である。
【符号の説明】
【００１０】    １  樹脂製や陶磁器製のペットの置物
２  ペットを紹介する金属性の銘板
３  １と接合する、遺骨や遺品を収納する機能を有する木製台座
４  内部収納部分
５  遺骨を出し入れするための開閉扉部分
【図１】
0003118350.tif 000003
【図２】
0003118350.tif 000004
(57)【要約】      （修正有）【課題】竹炭と磁石の性能と、ゴムバンドの弾性を利用して、膝に馴染み易いバンドを提供する。【解決手段】通気性の袋状のマット１の内部を数区画に分割し、２条の条溝２を設け、竹炭粒３と磁石４を充填封入、２本のゴムベルトの両端に面ファスナ５，６を交互に固着、条溝の一端にベルト７を縫着したものである。【選択図】図１
0003118341.tif 000002
【実用新案登録請求の範囲】
【請求項１】
通気性材料からなる、袋状のマット（１）の内部を数区画に分割、両側中間に条溝（２）を２条開け、条溝（２）以外の各区画内に破砕した竹炭粒（３）と、磁石（４）の小片を充填挿入し領域毎に溶着分離、マット（１）の両端に面ファスナー（５）（６）を固着したゴムベルト（７）を縫着した磁石入り竹炭膝バンド。
【考案の詳細な説明】
【技術分野】
【０００１】  この考案は、袋の内部に竹炭の破砕粒と、磁石を封入した膝関節の保護と、関節の痛みを緩和するための健康用品である。
【背景技術】
【０００２】  従来、保冷剤を封入した装着帯を膝に装着するもの、只端に強度な弾性バンドで締めつける膝サポータ等がある。
【考案が解決しようとする課題】
【０００３】  これは次のような欠点がある。
従来、膝関節の激痛は冷却で一時的に鎮圧するが、膝の保護と軽度の疼痛と予防には、冷却より保温と血行の促進が不可欠で、唯、単に圧迫するのみでは疼痛の解消にはならない。
本考案は、この欠点を除くためになされたものである。
【課題を解決するための手段】
【０００４】  通気性材料からなる袋状のマットの内部を数区画に分割、両側中間に条溝として空間を２条開け、条溝以外の各々の区画内にに破砕した竹炭粒を充填し、該竹炭粒群内に磁石の少片を挿入する、区画内の竹炭群及び磁石は領域毎に溶着分離する、両端に面ファスナーを交互に固着したゴムベルトを条溝の端部に各々縫着する。
【考案の効果】
【０００５】  竹炭の炭化物より、マイナスイオン、遠赤外線が放出され、磁石よりは磁力が発生して血行を促進し、コリをほぐしゴムベルトの締め付けで、膝関節の痛みを和らげ膝に活力を取り戻す効果がある、と共にゴムベルトの緊着でマットの脱落を防止する。
【考案を実施するための最良の形態】
【０００６】  通気性材料の袋状のマット（１）の内部を数区画に分割、両側中間に条溝（２）として空間を２条設け、条溝（２）以外の各々の区画内に２ｍｍ乃至５ｍｍに破砕した竹炭（３）を充填し、該竹炭（３）粒群内に磁石（４）の少片を挿入する、区画内の竹炭（３）粒群及び磁石（４）は領域毎に溶着分離する、両端に面ファスナー（５）を、反対面に面ファスナー（６）を固着したゴムベルト（７）２本を、マット（１）の条溝（２）の端部に各々縫着する。
【実施例】
【０００７】  本考案のマット（１）を膝の上部に当て、ベルト（７）を条溝に沿って膝の下部より上部に巻き締めつけ、面ファスナー（５）及び（６）で止める。
【図面の簡単な説明】
【０００８】
【図１】  本考案の一部を切り欠いた斜視図である。
【図２】  本考案のＡ−Ｂに沿っての断面図である。
【符号の説明】
【０００９】１．袋状のマット
２．条溝
３．竹炭
４．磁石
５．面ファスナー
６．面ファスナー
７．ゴムベルト
【図１】
0003118341.tif 000003
【図２】
0003118341.tif 000004
(57)【要約】【課題】本考案はゴム手袋、ビニール手袋に紐をつける事により保管しやすくなる。【解決手段】本考案はゴム手袋本体１にパンチ穴（紐通し穴）２を設け、その穴に紐３を挿入し紐を結ぶことにより、フック等に掛けやすくなる。【選択図】図１
0003118344.tif 000002
【実用新案登録請求の範囲】
【請求項１】
ゴム手袋、ビニール手袋の袖口に穴をあけ紐を通し壁につるし易くしたゴム手袋、ビニール手袋の水きりを良くする、ひっかけ紐付き手袋
【考案の詳細な説明】
【技術分野】
【０００１】本案件は、ゴム手袋、ビニール手袋にひっかけ紐を取りつけた手袋にするものである。
【背景技術】
【０００２】茶碗洗い、水仕事で、ゴムム手袋、ビニール手袋が水ぬれした場合、それを乾かすため、洗濯バサミ等につるして、乾燥させていた。
【考案の開示】
【考案が解決しようとする課題】
【０００３】ゴム手袋、ビニール手袋は、水にぬれたままだと、不衛生になる、従ってビニール手袋と引っかけ紐を一体化することにより、洗濯バサミなどでかける手間が省けより簡単に手袋の装着、脱着ができ衛生的に手袋の保管ができ前述の欠点を解決しようとするものである。
【課題を解決するための手段】
【０００４】本考案は、ゴム手袋、ビニール手袋本体の袖口に穴を設け、その穴に紐を通し脱着の際、容易にフック等にかけれることにより問題点を解決している。
【考案の効果】
【０００５】上記の様に、本考案のひっかけ紐付きゴム手袋はゴム手袋本体に引っ掛け紐をつけることによりフックに引っ掛けられる事は勿論、ゴム手袋の乾燥、衛生的にも役立つ。
【考案の実施するための最良の形態】
【０００６】ゴム手袋、ビニール手袋袖口１ｃｍの小指側に、パンチ等で穴をあけ１０ｃｍ位の紐を通し結ぶ。
【実施例】
【０００７】以下、添付図面に従って一実施例を説明する。１は表、天然ゴム、裏、綿  ゴム手袋等、２はパンチ等で穴をあけ紐を通す場所、３は１０ｃｍ位の紐を通す
【産業上の利用可能性】
【０００８】茶碗洗い、水仕事でゴム手袋、ビニール手袋が水ぬれした場合、そのゴム手袋の置き場所に困っていたが、フック１本あれば簡単に掛けられることができる。【０００９】本考案の一実施例は上述の如き構成からなるものである。
【図面の簡単な説明】
【００１０】
【図１】本考案のひっかけ紐付きゴム手袋の一実施例を示す正面図
【図２】ゴム手袋の一部切断面図である。
【符号の説明】
【００１１】１  ゴム手袋本体
２  パンチ穴（紐通し穴）
３  紐
【図１】
0003118344.tif 000003
【図２】
0003118344.tif 000004
(57)【要約】      （修正有）【課題】熱消散を助けるよう監視カメラ用に適合される改良熱消散器を提供する。【解決手段】熱消散器１はＬ字形状をしているとともに、監視カメラ内部の熱が消散可能なように、回路盤４との接合用に熱放散器１の水平部分の上面に形成される複数の接合突起部１１、ならびに複数ＬＥＤ３との接合用に熱消散器１の鉛直部分に固定して取付けられる側面板を含んでいる。熱消散器１は複数ＬＥＤ３および回路盤４とともに取付けられ、複数ＬＥＤ３は真鍮板２に直接、取付けられるとともに、回路盤４は接合突起１１を通じて熱消散器１の水平部分上面に取付けられる。【選択図】図４
0003118396.tif 000002
【実用新案登録請求の範囲】
【請求項１】
Ｌ字形状で全体が形成され、スライド可能に収納され、かつケーシングと直接、接触するよう適合される熱消散器、鉛直部分と水平部分に分割される熱消散器、回路盤との接合用に上部に形成される複数の接合突起部をもつ水平部分、および光発光ダイオードとの接合用の鉛直部分側面上に確実に固定される板が含まれる、ケーシング、熱消散器を有する監視カメラ用熱消散器組立品
【請求項２】
板が真鍮から作られる請求項１に請求される熱消散器組立品
【請求項３】
熱消散器がアルミニウムから作られる請求項２に請求される熱消散器組立品
【考案の詳細な説明】
【技術分野】
【０００１】
本考案は熱消散器、なかでも監視カメラの寿命を長くするために熱消散を助ける特に監視カメラ用熱放散器に関する。
【背景技術】
【０００２】
従来のカメラは図１に示され、該カメラにはケーシング（B）、ケーシング（Ｂ）の底面に取付けられる脚板（Ａ）、脚板（Ａ）の側面に取付けられる回路盤（Ａ５）、ボルト（Ａ１）を通じて回路盤（Ａ５）に接合される接合板（Ａ４）が設けられるとともに、その側面に取付けられる複数の光発光ダイオード（Ａ３）、回路盤（Ａ５）に取付けられるとともに、接合板（Ａ４）から伸びるレンズ（Ａ２）、そして気泡材料（Ａ７）により脚板（Ａ）に取付けられる電源（Ａ６）を有する。
【０００３】
従来の監視カメラが利用されている時に、電源（Ａ６）および複数ＬＥＤ（３Ａ）の両方がカメラ（Ａ２）の正常な機能を妨害する多量の熱を発する。しかも、複数ＬＥＤ（Ａ３）はケーシング（Ｂ）と直接、接していないだけでなく、電源（Ａ６）が気泡材料（Ａ７）によってケーシング（Ｂ）から孤立させられているので、ケーシング（Ｂ）内部の熱は徐々に蓄積されるとともに、ついにはカメラ（Ａ２）に損害を与える。
【考案の開示】
【０００４】
該欠点を克服するため、本考案は前記問題を軽減するために改良された熱消散器を提供する結果となる。
【０００５】
本考案の主目的は、熱消散を助けるよう監視カメラ用に適合される改良熱消散器を提供することである。
【０００６】
本考案の１局面では、本考案の熱消散器はＬ字形状をしているとともに、監視カメラ内部の熱が消散可能なように、回路盤との接合用に熱放散器の水平部分の上面に形成される複数の接合突起部、ならびに複数ＬＥＤとの接合用に熱消散器の鉛直部分に固定して取付けられる側面板を含んでいる。
【０００７】
本考案のその他の目的、利点および新規の特徴は、添付図面と関連づけられる場合の以下の詳細説明からさらに明らかになろう。
【考案を実施するための最良の形態】
【０００８】
図２を参照すると、本考案の熱消散器（１）がＬ字形状をしている結果、鉛直部分と水平部分が含まれる点が注目される。熱消散器（１）はアルミニウムで作られるのが好ましい。
【０００９】
複数の接合突起（１１）が水平部分の上面に形成されるとともに、熱消散器の鉛直部分は真鍮板（２）と確実に噛合される。
【００１０】
図３および図４を参照すると、本考案の熱消散器が複数ＬＥＤ（３）および回路盤（４）とともに取付けられ、該複数ＬＥＤは真鍮板（２）に直接、取付けられるとともに、回路盤（４）は接合突起（１１）を通じて熱消散器（１）の水平部分上面に取付けられる点が注目される。
【００１１】
図５および図６を参照すると、複数ＬＥＤ（３）と回路板（４）が本考案の熱消散器（１）のそれぞれ鉛直部分と水平部分に取付けられた後に、熱消散器（１）、複数ＬＥＤ（３）および回路盤（４）の組合せがそこに定められる管路（５１）をもつケーシング（５）に滑り込まれる。熱消散器（１）、複数ＬＥＤ（３）および回路盤（４）の組合せがケーシング（５）の内側側面に達した後、熱消散器（１）の反対側面がケーシング（５）の内側側壁と直接、接合されるとともに、熱消散器（１）の底面は、その上の部品による回路盤（４）から、そして複数ＬＥＤ（３）からの熱が熱伝導を通じてケーシング（５）から十分に消散するようケーシング（５）の内側底面と直接、接触する。
【００１２】
図７を参照すると、発生熱がケーシング（５）内部で全方向から消散可能である点が注目される。
【００１３】
上述の説明に照らして、以下のことが結論される。
真鍮板は熱がケーシングから消散可能なように複数ＬＥＤからの熱を迅速に吸収可能である。
発生熱はＬ字形状熱消散器とケーシング間の直接接触により消散可能である。
Ｌ字形状熱消散器は全体的に形成される。
Ｌ字形状熱消散器は極めて効用がある。
電源との直接接触の突起部は電源からの熱を消散可能である。
【００１４】
しかしながら、たとえ本考案の構造と機能の詳細とともに本考案に関する数多くの特徴並びに利点が、前述の説明で述べられたとしても、開示内容は例示的なものに過ぎなく、かつ、特に、形状、寸法、そして付録の請求項に表現される用語の広い一般的意味によって示される最大限度まで、本考案の原理、原則の範囲内の部品の配置の事項において、変更が詳細に可能である点が理解されなくてはならない。
【図面の簡単な説明】
【００１５】
【図１】従来型監視カメラの概要図で、矢印によりケーシング内部の熱が良好には消散されていないことが示されている。
【図２】本考案の熱消散器を示す側面図
【図３】複数ＬＥＤおよび配電盤が本考案の熱消散器と組合わされることを示す分解透視図
【図４】本考案の熱消散器と複数ＬＥＤと回路盤との組合せを示す透視図
【図５】熱消散器、複数ＬＥＤ、および回路盤の組合せが、監視カメラのケーシング内部に組立てられることを示す概要透視図
【図６】熱消散器が監視カメラのケーシングと直接、接触していることを示す部分断面図
【図７】ケーシング内部の熱が本考案の熱消散器を経由して良好に消散されることを示す概要図
【図１】
0003118396.tif 000003
【図２】
0003118396.tif 000004
【図３】
0003118396.tif 000005
【図４】
0003118396.tif 000006
【図５】
0003118396.tif 000007
【図６】
0003118396.tif 000008
【図７】
0003118396.tif 000009
(57)【要約】【課題】  本考案はリモコン内部に振り子センサーを設け、本体を振ることで操作のできることを特徴とする汎用リモコン。【解決手段】  本考案は、リモコンの内部に振り子センサーを設けることで振るだけで簡単に操作ができ、その際効果音が鳴り、送信ランプが光る事により、楽しく使える。また、ＭＯＤＥスイッチを設け通常のボタン操作と振り子センサーでの操作と選択できるようにした。【選択図】    図３
0003118354.tif 000002
【実用新案登録請求の範囲】
【請求項１】
リモコンに振り子センサーを設けることでボタンを押すのではなく、本体を振ることで操作のできることを特徴とする汎用リモコン。
【考案の詳細な説明】
【技術分野】
【０００１】  本考案は、従来からあるリモコンに、振り子センサーを内部に設けることで振るという動作によってリモコンのセンサーが反応し、振るだけで簡単に操作を行うことのできるリモコンに関するものである。
【背景技術】
【０００２】  例えば、従来からあるリモコンは、ただボタンを押すことで操作を行うもので特に楽しむ物ではなかった。
【考案の開示】
【考案が解決しようとする課題】
【０００３】  従来の機能重視汎用リモコンだと、ボタンを押す動作のみで操作していて、操作を楽しむ事はなかった。そこで、内部に振り子センサーを用いることで、振るという動作により簡単に操作することができ、今までのリモコンとは違った感覚で操作できることにより、前述の問題を解決するものである。
【問題を解決するための手段】
【０００４】  本考案は、リモコンの内部に振り子センサーを設けることで振るだけで簡単に操作ができ、その際効果音が鳴り、送信ランプが光る事により、問題点を解決している。また、ＭＯＤＥスイッチを設け通常のボタン操作と振り子センサーでの操作と選択できるようにした。
【考案の効果】
【０００５】  上述の様に、本考案の振る汎用リモコンは、振ることで簡単に操作できるため、リモコン操作が楽しくなる。また、音や光の効果がさらに選曲を楽しくしてくれるのでお子様の玩具としても使用できる。
【考案を実施するための最良の形態】
【０００６】  ＭＯＤＥスイッチを『ふりふり』にし、入力／送信ボタンを押しながらアクションを入力する。入力／送信ボタンを離すと入力したアクションに基づいたチャンネルが送信される。また、この時各効果音、送信音が鳴る。
【実施例】
【０００７】  以下、添付図面に従って一実施例を説明する。１はＭＯＤＥスイッチ、２は送信部、３は入力／送信ボタン部。【０００８】  本考案の一実施例は上述のごとき構成からなるものであるから、ＭＯＤＥスイッチ１を『ふりふり』にし、入力／送信ボタン３を押しながらアクションを入力し、入力／送信ボタン３を離す事で送信部２から送信される。
【図面の簡単な説明】
【０００９】
【図１】本考案の振る汎用リモコンの一実施例を示す正面図（フタ開時）である。
【図２】本振る汎用リモコンの上部から見た図である。
【図３】本考案の振る汎用リモコンの一実施例を示す背面図である。
【符号の説明】
【００１０】１  ＭＯＤＥスイッチ
２  送信部
３  入力／送信ボタン
４  効果音スピーカー
５  ＬＥＤ
【図１】
0003118354.tif 000003
【図２】
0003118354.tif 000004
【図３】
0003118354.tif 000005
(57)【要約】      （修正有）【課題】再充填されたインクジェットカートリッジのインクの漏れ等を発生させる外気とインクの接触するインク充填口に栓をし保管できるようにする。【解決手段】全体１は、プラスチックで形成され、インク充填口２よりインクを充填した後にヘラ状の道具にてシリコーンシーラントを適量取り、インク充填口に埋め込む。カートリッジ本体３の平らな部分に付着した余分なシリコーンシーラントを拭き取り平らにする。【選択図】図２
0003118353.tif 000002
【実用新案登録請求の範囲】
【請求項１】
インクジェットカートリッジにおいて、充填口にシリコーンシーラントを配置したことを特徴とするインクジェットカートリッジ。
【考案の詳細な説明】
【考案の詳細な説明】
【技術分野】
【０００１】本考案は一度使用されたインクジェットカートリッジに再充填を施した後、インク漏れを防ぐための栓をするための技術に関する。
【背景技術】
【０００２】新品の使用済みカートリッジに再充填をする際、充填口の球状の栓を抜き取る作業を必要とするが、再充填後ゴム栓等の形状の固定化された部品を使用している。
そのため抜き取り時に発生する充填口の形状の変形等に対応せずインク漏れを発生させる等の不具合がある。
又、変形したものは再使用できなくなるため、廃棄となる。
【考案が解決しようとする課題】
【０００３】形状の変化した充填口でも漏れないよう栓をするため、変形に対応した素材を使用することにより、再使用する率を増やし廃棄を減らすことと形状の変化による漏れを防ぐ。
【課題を解決するための手段】
【０００４】本考案はインクジェットカートリッジの充填後の充填口にシリコーンシーラントを用いて密封する。
シリコーンシーラントは窓、又は風呂場等のシーリングに使用される素材として有効なため、インク充填口への使用は適切な素材と考える。
その他、充填口をシーリング可能な素材であれば、本考案の適用が可能である。
【考案実施の形態】
【０００５】インクジェトカートリッジのインク充填口は円形の穴となっており、数ミリの奥行きがあるため、シリコーンシーラントでの栓が可能となる。
シリコーンシーラントをヘラ状の道具にて適量を取り、充填口にならしてシーリングを行う。
変形していても形状に合わせシーリング可能な点が有利な点となる。
【０００６】本発明に係るインクジェットカートリッジは、充填口にシリコーンシーラントを配置したことを特徴とする。
【実用例】
【０００７】以下、添付図面に従って本発明の一実例を説明する。
まず全体はプラスチック形成▲１▼であり、インク充填口が▲２▼の部分である。
【０００８】▲２▼よりインクを充填した後にヘラ状の道具にてシリコーンシーラントを適量取り、▲２▼に埋め込む。
▲３▼の平らな部分に付着した余分なシリコーンシーラントを拭き取り平にする。
そのときにインクタンク内▲４▼にシリコーンシーラントが入りすぎないよう注意する。
【０００９】本考案の一実例は前途の如き構成からなるものであるからインク漏れを塞ぐとともに外気にインクが触れないようにするためのもので栓として効果を発揮するものである。
又、充填口の変形に対応することが可能である。
【００１０】その他、本考案を実施するための最良の構成、形態、方法などは、以上の記載で開示されているが、本考案はこれに限定されるものではない。
すなわち、以上の記載は、主に特定の実施例に関して図示され、かつ説明されているが、本考案の技術的思想および目的の範囲から逸脱することなく、以上述べた実施例に対し、材質、形状、数量、その他の構成において、当業者が様々な変形を加えることができる。
【００１１】従って、以上に開示した材質、形状、数量などを限定した記載は、本考案の理解を容易にするために例示的に記載したものであり、本考案を限定するものではない。そのため、それらの材質、形状、数量などの一部もしくは全部の限定を外した記載は、本考案の技術的範囲に含まれる。
【考案の効果】
【００１２】前途のように本考案は使用済みのインクジェットカートリッジに再充填する際、新品の状態から充填できるよう球状の栓を外した際に発生する変形に対応したシーリング効果がある。
【図面の簡単な説明】
【００１３】
【図１】本考案に使用されるインクジェットカートリッジの一実例の横面図である。
【図２】本考案のインクジェットカートリッジの充填後の充填口処理一実例を示す横面図である。
【符号の説明】
【００１４】▲１▼インクジェットカートリッジ本体
▲２▼インク充填口
▲３▼インクジェットカートリッジ本体上部
▲４▼インクタンク
【図１】
0003118353.tif 000003
【図２】
0003118353.tif 000004